(57)【要約】      （修正有）【課題】撮影者の習熟度に左右されずに、容易に規定倍率撮影が出来る機器で、焦点調整が容易でかつ高倍率撮影時に生じ易い構図のズレも防ぐことが出来る医科用または歯科用画像撮影用デジタルカメラを提供する。【解決手段】表示部に焦点位置における実撮影倍率よりも大きいあらかじめ登録された規定倍率の撮影範囲と、撮影倍率とを表示する手段、あらかじめ登録された規定倍率が一致したときに、通知する手段を有する。更にあらかじめ登録された規定倍率での撮影が可能な鏡筒位置を表示する手段を、異なる撮影距離ごとに複数有する。【選択図】図１
2006081132.tif 000002
【特許請求の範囲】
【請求項１】
表示部に現在の焦点位置における実撮影倍率を表示することを特徴とする医科用または歯科用画像撮影用のデジタルカメラ。
【請求項２】
表示部に現在の焦点位置における実撮影倍率よりも大きいあらかじめ登録された規定倍率の撮影範囲と、その撮影範囲の倍率とを表示する手段を備えることを特徴とする請求項１に記載の医科用または歯科用画像撮影用のデジタルカメラ。
【請求項３】
現在の焦点位置における実撮影倍率と、あらかじめ登録された規定倍率が一致したときに、現在の焦点位置における実撮影倍率があらかじめ登録された規定倍率と一致したことを通知する通知手段を有することを特徴とする請求項２に記載の医科用または歯科用画像撮影用のデジタルカメラ。
【請求項４】
ズームレンズの鏡筒に、あらかじめ登録された規定倍率での撮影が可能な鏡筒位置を表示する手段を、異なる撮影距離ごとに複数有することを特徴とする請求項３に記載の医科用または歯科用画像撮影用のデジタルカメラ。
【請求項５】
撮影距離を一定に測定維持するための撮影距離測定維持手段をカメラに取り付けたことを特徴とする請求項４に記載の有する医科用または歯科用画像撮影用のデジタルカメラ。
【請求項６】
請求項５に記載の撮影距離維持手段が
カメラ底部に固定された金具の２箇所に始端と終端を固定されし保持部を有する一本の紐であって、紐の中央支持部を撮影対象へ向けて伸ばしたときに、紐の形状が三角形になり、かつカメラのレンズ光軸が撮影対象の方向を向く撮影距離を測定することを特徴とする請求項５に記載の医科用または歯科用画像撮影用のデジタルカメラ。
【請求項７】
請求項６記載の紐が
前記紐の始端と終端の一方または両方がカメラ底部に固定された金具から着脱自在に取り外し可能で、始端と終端の両方をカメラ金具に固定した状態で紐の中央部を被写体に向けて伸ばしたときに、紐の中央とカメラとの距離が、規定倍率撮影のための一つの撮影距離を示すことになり、かつ始端または終端の一方を外して他方を被写体に向けて伸ばしたときに、外した紐の端とカメラとの距離が、規定倍率撮影のための別の撮影距離になることを特徴とする請求項６に記載の医科用または歯科用画像撮影用のデジタルカメラ。
【請求項８】
撮影された画像ファイルの中に存在する撮影情報保存領域に、実撮影倍率情報を書き込むことを特徴とした請求項７に記載の医科用または歯科用画像撮影用のデジタルカメラ。
【請求項９】
前記医科用または歯科用画像撮影用のデジタルカメラで撮影された画像ファイルをコンピュータで再生する際に、画像ファイルに書き込まれた実撮影倍率情報を、画像上あるいは画像上以外の場所に表示することを特徴とする医科用または歯科用の画像管理プログラム。
【請求項１０】
前記医科用または歯科用画像撮影用のデジタルカメラで撮影された画像ファイルをコンピュータで再生する際に、画像ファイルに書き込まれた実撮影倍率情報に基づき、あらかじめ登録された規定倍率による撮影範囲を表示し自動的に算出し、画像上あるいは画像上以外の場所に規定倍率の撮影範囲と、その撮影範囲の倍率とを表示させることを特徴とする請求項９に記載の医科用または歯科用の画像管理プログラム。
【請求項１１】
前記医科用または歯科用画像撮影用のデジタルカメラで撮影された画像ファイルに書き込まれた実撮影倍率情報に基づき、あらかじめ登録された規定倍率の中から、選択した所望の規定倍率による撮影範囲で画像の任意の場所をトリミングし表示することができることを特徴とする請求項１０に記載の医科用または歯科用の画像管理プログラム。
【請求項１２】
前記医科用または歯科用画像撮影用のデジタルカメラで撮影された画像ファイル、あるいは前記医科用または歯科用画像撮影用のデジタルカメラ以外で作成された画像ファイルをコンピュータ画面に上下または左右反転の表示をさせて再生する際に、画像ファイルの中に存在する撮影情報保存領域に、画像が上下または左右反転されたということが区別できる情報を書き込み、かつ、画像上あるいは画像上以外の場所に、画像が上下または左右反転されたということが区別できる表示手段の内一つ以上を備えたことを特徴とする請求項１１に記載の医科用または歯科用の画像管理プログラム。
【発明の詳細な説明】
【発明の詳細な説明】
【技術分野】
【０００１】本発明は、医科用または歯科用画像撮影用のカメラおよび画像管理システムに関するものである。具体的には、医科用または歯科用画像撮影用デジタルカメラ、撮影補助装置、画像管理プログラムを構成要素に含むもので構成される分野に関する。
【背景技術】
【０００２】一般に医科用または歯科用画像撮影においては、治療前後の比較や経過観察を行う上で、毎回の撮影ごとにほぼ一定の画面の大きさ、すなわちほぼ一定の倍率で撮影できることが望ましい。また、誰が撮っても同じ倍率で撮影できるように、あらかじめ規定された共通の倍率すなわち規定倍率で撮影できることが望ましい。【０００３】  このため、特開２００１−３５６４０３では次に示すような方法で解決を図ろうと多くの試みをしている。
カメラのレンズ鏡筒に設定された倍率目盛から所望の規定倍率を選択し、選択された倍率になるような撮影距離に焦点が合うようにレンズの状態を待機させておき、カメラの前後移動によってファインダー内の像がくっきり見えるように焦点を合わせることによって、手動で焦点位置を撮影対象に移動させて撮影を行うデジタルカメラが開示されている。この方法では、カメラのオートフォーカス機構が使えず手動でカメラを前後移動させて焦点を合わせる必要があるため、撮影者の習熟度によってピント合わせの精度が左右され、場合によっては画像がピンボケになる可能性があった。また、撮りたい倍率が低いほどファインダー内の撮影対象が小さくて焦点が合わせづらくなり、倍率のズレが大きくなったりピンボケになったりする可能性が大きくなるという問題があった。
また、特開２００１−３５６４０３で開示されたカメラでは一定の倍率で撮影することはできても、人体のような撮影対象を固定することができない場合やカメラを三脚で固定できない場合、画面の構図が上下左右方向にずれたり回転したりしてしまうという問題が生じることがある。治療前後の比較や経過観察を行うためには倍率だけでなく構図も統一して撮影する必要があるが、構図のずれを防止する方法としては、具体的な解決策は示されていない。
更にまた、高い倍率で撮影対象の狭い範囲を撮影する場合、カメラのわずかなブレが構図のズレとして大きく影響するため、ファインダーを覗いて構図を決めようとしても、構図がなかなか定まらないという問題があり、特開２００１−３５６４０３で開示されたカメラでは構図の調整と同時に前後方向の焦点の調製も行わなければならないので、撮影者が習熟していない場合、構図のズレやピントのボケが生じることがあった。【０００４】ポラロイド社のインスタントカメラのように、マクロ撮影で撮影対象の狭い範囲を撮影するときに、容易に撮影対象に焦点を合わせるために、カメラから紐を伸ばして紐の先端を撮影対象にあてがうことで焦点を合わせる方法が実用化されている。しかし、この紐はあくまでも焦点を一定に保つための定規の代わりに過ぎず、構図のズレに関しては解決されていなかった。
また更に、特開２００１−３５６４０３で開示されたカメラで一定の倍率で撮影することはできても、その倍率が画像ファイルに保存されず、画像をコンピュータ上で再生したときにも倍率情報が表示されないので、撮影者が画像管理ノートなどを作製して倍率記録を別途記録しておく必要があった。
一方、撮影時には倍率を固定せず、オートフォーカスによって任意の倍率で撮影を行っておき、コンピュータ上で画像を拡大縮小することで、倍率を変換したり画面の表示範囲をトリミングしたりする手法は以前から考案されている。たとえば、株式会社ベアーメディック製の「ＣＡＳＭＡＴＣＨ」のような定規が印刷された小片を画面中に一緒に撮影しておき、画像に占める定規の長さの比から撮影倍率を換算し、規定倍率での撮影範囲で画像をトリミングする方法が知られているが、この方法では画像ごとに倍率の換算作業が必要となり、大量の画像を処理する場合に非常に煩雑な作業になってくる。【０００５】歯科の画像撮影においてはミラーを使用した虚像撮影を行うことがあり、撮影された画像は上下または左右に反転しているため、コンピュータで上下または左右に反転させる必要がある。上下の咬合面をミラー撮影する場合ならば、上顎の歯列と下顎の歯列は画像から容易に判断できるが、左の側方面と右の側方面をミラー撮影する場合、左の側方面なのか右の側方面なのかを画像から判断するのが困難な場合があり、反転前なのか反転後なのかが分からなくなる場合があり、見分ける事ができなかった。
【発明が解決しようとする課題】
【０００６】これらの状況を鑑み、本発明において解決しようとする課題は以下の通りである。
本発明が解決しようとする一つの課題は、撮影者の習熟度に左右されずに、容易に規定倍率撮影ができる医科用または歯科用画像撮影用のカメラを提供することが望まれていた。
本発明が解決しようとする更なる他の課題は、容易に撮影対象に焦点を合わせることができ、かつ、高い倍率での撮影時に生じ易い構図のズレを防ぐことができる医科用または歯科用画像撮影用のカメラを提供することにある。
【０００７】本発明が解決しようとする更なる他の課題は、撮影された画像の倍率情報を容易に管理することがでる医科用または歯科用画像撮影用のカメラおよび画像管理システムを提供することにある。
本発明が解決しようとする更なる他の課題は、構図のズレや回転を補正し、所望の規定倍率の画像を容易にトリミングして得ることが出来る医科用または歯科用画像撮影用のカメラおよび画像管理システムを提供することにある。
本発明が解決しようとする更なる他の課題は、上下または左右反転させた画像のオリジナルの方向が容易に分かる医科用または歯科用画像撮影用のカメラおよび画像管理システムを提供することにある。
【課題を解決するための手段】
【０００８】本発明は表示部に現在の焦点位置における実撮影倍率を表示することを特徴とする医科用または歯科用画像撮影用のデジタルカメラである。
本発明は表示部に焦点位置における実撮影倍率よりも大きいあらかじめ登録された規定倍率の撮影範囲と、撮影範囲の倍率とを表示する手段を備えることを特徴とする医科用または歯科用画像撮影用のデジタルカメラである。
【０００９】本発明は現在の焦点位置における実撮影倍率と、あらかじめ登録された規定倍率が一致したときに、通知する通知手段を有することを特徴とする医科用または歯科用画像撮影用のデジタルカメラである。
本発明はズームレンズの鏡筒に、あらかじめ登録された規定倍率での撮影が可能な鏡筒位置を表示する手段を、異なる撮影距離ごとに複数有することを特徴とする医科用または歯科用画像撮影用のデジタルカメラである。
【００１０】本発明は撮影距離を一定に測定するための撮影距離維持手段を有する医科用または歯科用画像撮影用のデジタルカメラである。
本発明は撮影距離維持手段がカメラに固定され支持部を有する紐であって、支持部を撮影対象へ向けて伸ばし撮影距離を測定することを特徴とする医科用または歯科用画像撮影用のデジタルカメラである。
【００１１】本発明は紐が始端と終端の一方または両方がカメラから着脱自在であり、始端と終端をカメラに固定した状態で紐の中央部を被写体に向けて伸ばしたときに、規定倍率撮影のための一つの撮影距離を指示し、かつ始端または終端の一方を外して他方を被写体に向けて伸ばしたときに、外した紐の端とカメラとの距離が、規定倍率撮影のための別の撮影距離になることを特徴とする医科用または歯科用画像撮影用のデジタルカメラである。
本発明は撮影された画像ファイルの中に存在する撮影情報保存領域に、実撮影倍率情報を書き込むことを特徴とした医科用または歯科用画像撮影用のデジタルカメラである。
【００１２】本発明はデジタルカメラで撮影された画像ファイルをコンピュータで再生する際に、画像ファイルに書き込まれた実撮影倍率情報を、画像上あるいは画像上以外の場所に表示することを特徴とする医科用または歯科用の画像管理プログラムである。
本発明は画像ファイルに書き込まれた実撮影倍率情報に基づき、あらかじめ登録された規定倍率による撮影範囲を表示し、画像上あるいは画像上以外の場所に規定倍率の撮影範囲と、その撮影範囲の倍率とを表示させることを特徴とする医科用または歯科用の画像管理プログラムである。
【００１３】本発明はデジタルカメラで撮影された画像ファイルに書き込まれた実撮影倍率情報に基づき、あらかじめ登録された規定倍率の撮影範囲をトリミングし表示することができることを特徴とする医科用または歯科用の画像管理プログラムである。
本発明は画像ファイルを上下または左右反転の表示をするる際に、画像ファイルの中に存在する撮影情報保存領域に画像が上下または左右反転が区別できる情報を書き込み、画像上あるいは画像上以外の場所に画像が上下または左右反転が区別できる表示手段の内一つ以上を備えたことを特徴とする医科用または歯科用の画像管理プログラムである。
【００１４】本発明は、表示部に現在の焦点位置における実撮影倍率を表示することを特徴とする医科用または歯科用画像撮影用のデジタルカメラである。
本発明は、表示部に現在の焦点位置における実撮影倍率よりも大きいあらかじめ登録された規定倍率の撮影範囲と、その撮影範囲の倍率とを表示する手段を備えたことを特徴とする医科用または歯科用画像撮影用のデジタルカメラである。
本発明は、現在の焦点位置における実撮影倍率と、あらかじめ登録された規定倍率が一致したときに、現在の焦点位置における実撮影倍率があらかじめ登録された規定倍率と一致したことを通知する手段を有することを特徴とする医科用または歯科用画像撮影用のデジタルカメラである。
本発明は、ズームレンズの鏡筒に、あらかじめ登録された規定倍率での撮影が可能な鏡筒位置を表示する手段を、異なる撮影距離ごとに複数有することを特徴とする医科用または歯科用画像撮影用のデジタルカメラである。
本発明は、撮影距離を一定に維持するための撮影距離維持手段をカメラに取り付けたことを特徴とする医科用または歯科用画像撮影用のデジタルカメラである。本発明は、撮影距離維持手段はカメラ底部に固定された金具の２箇所に始端と終端を固定した一本の紐で、紐の中央部分を撮影対象へ向けて伸ばしたときに、紐の形状が三角形になり、かつカメラのレンズ光軸が撮影対象の方向を向くことを特徴とする医科用または歯科用画像撮影用のデジタルカメラである。
【００１５】本発明は、前記紐の始端と終端の一方または両方がカメラ底部に固定された金具から取り外し可能で、始端と終端を両方金具に固定した状態で紐の中央部を被写体に向けて伸ばしたときに、紐の中央とカメラとの距離が、規定倍率撮影のための一つの撮影距離になり、かつ始端または終端の一方を外して他方を被写体に向けて延ばしたときに、外した紐の端とカメラとの距離が、規定倍率撮影のための別の撮影距離になることを特徴とする医科用または歯科用画像撮影用のデジタルカメラである。
本発明は、撮影された画像ファイルの中に存在する撮影情報保存領域に、実撮影倍率情報を書き込むことを特徴とした医科用または歯科用画像撮影用のデジタルカメラである。
【００１６】本発明は、前記医科用または歯科用画像撮影用のデジタルカメラで撮影された画像ファイルをコンピュータで再生する際に、画像ファイルに書き込まれた実撮影倍率情報を、画像上あるいは画像上以外の場所に表示することを特徴とする医科用または歯科用画像管理プログラムである。
本発明は、前記医科用または歯科用画像撮影用のデジタルカメラで撮影された画像ファイルをコンピュータで再生する際に、画像ファイルに書き込まれた実撮影倍率情報に基づき、あらかじめ登録された規定倍率による撮影範囲を自動的に算出し、画像上あるいは画像上以外の場所に規定倍率の撮影範囲と、その撮影範囲の倍率とを表示させることを特徴とする医科用または歯科用画像管理プログラムである。
本発明は、前記医科用または歯科用画像撮影用のデジタルカメラで撮影された画像ファイルに書き込まれた実撮影倍率情報に基づき、あらかじめ登録された規定倍率の中から、選択した所望の規定倍率による撮影範囲で画像の任意の場所をトリミングすることができることを特徴とする医科用または歯科用画像管理プログラムである。
【００１７】本発明は、前記医科用または歯科用画像撮影用のデジタルカメラで撮影された画像ファイル、あるいは前記医科用または歯科用画像撮影用のデジタルカメラ以外で作成された画像ファイルをコンピュータ画面に上下または左右反転させて再生する際に、画像ファイルの中に存在する撮影情報保存領域に、画像が上下または左右反転されたという情報を書き込み、かつ、画像上あるいは画像上以外の場所に、画像が上下または左右反転されたということが区別できる表示手段を備えたことを特徴とする医科用または歯科用画像管理プログラムである。
【発明の効果】
【００１８】本発明によれば、カメラの表示部に現在の焦点位置における実撮影倍率が表示されるので、オートフォーカスを使って撮影対象に焦点を合わせることで、撮影対象の倍率を容易に知ることができ、カメラを前後させたりズームレンズを移動させたりして撮影対象の大きさを変化させることで、所望の倍率になるように容易に調整することが出来る。
また、本発明によれば、カメラの表示部に現在の焦点位置における実撮影倍率よりも大きいあらかじめ登録された規定倍率の撮影範囲と、その撮影範囲の倍率が表示されるので、後どのくらい画面内の撮影対象が大きくなるようにすれば、所望の規定倍率になるかが直感的に分かり、容易に所望の規定倍率に合わせることが出来る。
【００１９】また、本発明によれば、現在の焦点位置における実撮影倍率と、あらかじめ登録された規定倍率が一致したときに、一致したことを通知する手段を有しているので、容易に現在の焦点位置における撮影倍率が規定倍率に一致していることを知ることが出来る。
また、本発明によれば、ズームレンズ鏡筒に、あらかじめ登録された規定倍率での撮影が可能な鏡筒位置を表示する手段が、異なる撮影距離ごとに複数備えられているので、備えられている撮影距離の中から一つの撮影距離を選択し、その撮影距離における所望の規定倍率が撮影可能な位置にズームレンズ鏡筒を合わせておき、カメラと撮影対象との距離を選択した撮影距離におおよそ合わせてオートフォーカスで撮影対象に焦点を合わせれば、所望の倍率に近い倍率を容易に探し出すことができる。
【００２０】また、本発明によれば、撮影距離を一定に維持するための撮影距離維持手段をカメラに取り付けているため、前述の撮影距離をあわせる際に、容易に希望の撮影距離にあわせることが出来る。また、短い側の撮影距離を維持する状態では、紐の始端と終端がカメラ底部の撮影距離維持装置取付ベースに固定され、上方から見たときの紐の形状が三角形を形成するので、紐に取り付けられた支持部を引っ張りながら撮影を行うとカメラが安定して、構図のズレが少なくなる。
また、本発明によれば、本発明によるカメラで撮影された画像ファイルの中に存在する撮影情報保存領域に、実撮影倍率情報が書き込まれているため、撮影された画像をコンピュータで再生する際に、その倍率情報を画像上または画像上以外の場所に表示することが出来るので、画像管理の際に容易に撮影倍率の情報が取得できる。
【００２１】また、本発明によれば、本発明によるカメラで撮影された画像ファイルの中に存在する撮影情報保存領域に、実撮影倍率情報が書き込まれているため、この実撮影倍率情報に基づき、あらかじめ登録された規定倍率による撮影範囲を自動的に算出し、画像上あるいは画像上以外の場所に規定倍率の撮影範囲と、その撮影範囲の倍率とを表示させることができ、かつ、その範囲でトリミング処理を行うことができるので、特に規定倍率を意識せずに撮影した画像からも容易に規定倍率での構図の整った画像を得ることが出来る。
また、本発明によれば、画像ファイルをコンピュータ画面に上下または左右反転させて再生する際に、画像ファイルの中に存在する撮影情報保存領域に、画像が上下または左右反転されたという情報を書き込み、かつ、画像上あるいは画像上以外の場所に、画像が上下または左右反転されたということを表示する手段を備えているので、容易に画像のオリジナルの方向を把握することが出来る。
【発明を実施するための最良の形態】
【００２２】本発明の実施の形態を図面を参照して詳細に述べると、図１は本発明のカメラの表示部の一実施例を示し、表示部１に実撮影倍率表示２が表示されていることが示されている。図１において、表示部１は、たとえば一眼レフカメラのような光学ファインダーから構成されてもよいし、液晶ディスプレイから構成されても良いし、その他の画像表示装置から構成されても良い。実撮影倍率表示２は、現在の焦点位置における実撮影倍率が表示されており、カメラのレンズの状態に連動して倍率表示が変化することが好ましい。また、デジタルズーム併用時には、デジタルズームによる拡大を合算して表示され、かつ、デジタルズームを併用中であるという表示が示されることが好ましい。カメラの分野では、たとえば０．５倍という倍率をｘ１／２というように分数で表示する習慣があるので、その習慣に従ってｘ１／２という分数による表示方式を採用しても良いし、倍率の変化が分かりやすい小数点による表示方式を採用しても良いし、両方を併記しても良い。また、実撮影倍率の表示位置は図１の例では中心線の左側下部に表示してあるが、表示部１のその他の表示を妨げない場所であればどの場所に表示してもかまわないし、表示部１以外の表示装置に表示してもかまわない。【００２３】図２は本発明のカメラの表示部のさらなる一実施例を示し、表示部１に実撮影倍率２に加えて、規定倍率における撮影範囲を示す規定倍率撮影範囲表示３と、その撮影範囲を示す規定倍率表示４が示されている。図２において、規定倍率撮影範囲表示３は、実線における枠表示でも良いし、その他のあらゆる線種における枠表示でも良いし、その他あらゆる方法で境界が分かればどのような方法でも構わない。また、規定倍率撮影範囲表示３は表示部１の中央に配置されることが好ましく、撮影範囲外の画像も非表示にせず観察可能であることが好ましい。また、規定倍率撮影範囲表示３の大きさは、実撮影倍率表示２と連動して、変化することが好ましい。規定倍率表示４は実撮影倍率表示２と同じく、デジタルズーム併用時には、デジタルズームによる拡大を合算して表示され、かつ、デジタルズームを併用中であるという表示が示されることが好ましい。また、ｘ１／２という分数による表示方式を採用しても良いし、小数点による表示方式を採用しても良いし、両方を併記しても良い。また、規定倍率の表示位置は図２の例では中心線の右側下部に表示してあるが、表示部１のその他の表示を妨げない場所であればどの場所に表示してもかまわないし、表示部１以外の表示装置に表示してもかまわない。【００２４】図３は本発明のカメラの表示部のさらなる一実施例を示し、表示部１に実撮影倍率２に加え、実撮影倍率が規定倍率に一致することを知らせる表示５が示されている。図３において、実撮影倍率が規定倍率に一致する場合は、規定倍率撮影範囲は表示されないことが好ましく、規定倍率表示も表示されないことが好ましい。また、実撮影倍率が規定倍率に一致することを知らせる表示５は、表示画面１のその他の表示を妨げない場所であればどの場所に表示しても構わないし、表示部１以外の表示装置に表示してもかまわないが、実撮影倍率表示２の近傍に表示されることが好ましい。図３の例では、実撮影倍率が規定倍率に一致することを知らせる表示５のように、表示部１に図形を表示させる手段を用いたが、それ以外の手段、たとえば画面内に文字表示を行っても構わないし、表示部１全体が点滅するなどの手段を用いても良いし、音声やビープ音などで表示しても構わないし、表示部１とは別の表示装置やパイロットランプのような手段で表示しても構わないし、これらの手段を併用しても構わない。【００２５】図４は本発明のカメラのズームレンズ鏡筒部の一実施例を示し、ズームレンズ鏡筒可動部６に貼り付けられた規定倍率目盛ラベル９に表示されている複数の撮影距離における規定倍率目盛が示されている。この実施例においては、ズームレンズ鏡筒固定部７にあるズームリング８をまわして、規格倍率目盛ラベル９に示された撮影距離表示（近い側）１０または撮影距離表示（遠い側）１２のうちのどちらか一方の撮影距離を選択し、近い側の撮影距離を選択した場合は近い側の撮影距離における規定倍率目盛１１から、遠い側の撮影距離を選択した場合は遠い側の撮影距離における規定倍率目盛１３から所望の規定倍率を選択して、選択した倍率の目盛とズームレンズ鏡筒固定部端部７ｂとを合わせるような方法が示されているが、撮影距離を複数選択することが可能で、なおかつ、ズームレンズ鏡筒の固定部と可動部の位置関係が選択された撮影距離における所望の規定倍率によって定められる方法であれば、どのような方法をとっても構わない。本実施例では撮影距離表示（近い側）１０は撮影距離を４２０ｍｍとしているが、とくに４２０ｍｍである必要は無く、どのような撮影距離であってもかまわないが、好ましくは３００ｍｍ〜５００ｍｍの範囲内であることが望ましい。また、撮影距離表示（遠い側）１２は撮影距離を８００ｍｍとしているが、とくに８００ｍｍである必要はなく、どのような撮影距離であっても構わないが、好ましくは６００ｍｍ〜１０００ｍｍの範囲内であることが好ましい。また、後述の撮影距離維持装置で規定される撮影距離のうち、短い方の撮影距離が撮影距離表示（近い側）１０と５０ｍｍ以内の差であることが好ましく、なおかつ、長いほうの撮影距離が撮影距離表示（長い側）１２と５０ｍｍ以内の差であることが好ましい。【００２６】図５は本発明のカメラに取り付けられる撮影距離維持装置の一実施例であり、紐１８の始端側のスナップ金具１６ａと終端側のスナップ金具１６ｂは両方とも撮影距離維持装置取付ベース１５に固定されており、支持部１９を掴んで撮影対象に向けて引っ張ることで、紐１８の中央部分とカメラとの距離が、一定の距離に維持されている状態が示されている。図５において、紐１８の始端側のスナップ金具１６ａと終端側のスナップ金具１６ｂは撮影距離維持装置取付ベース１５に固定され、撮影距離維持装置取付ベース１５をカメラ本体底部の三脚取付用ねじ部１４へ止めネジ１７を使って固定される方法が示されているが、たとえば紐の始端および終端をカメラ本体へ直接固定するような方法でも構わない。また、始端側のスナップ金具１６ａおよび終端側のスナップ金具１６ｂは好ましくは甲丸スナップ金具のような、工具を使わずに脱着可能な金具が望ましいが、脱着可能な構造ならばどんな機構でもよく、たとえば磁石のように磁性を利用して吸着する方法を利用しても構わない。また、支持部１９は紐１８を通せるような穴が空けられており、支持部１９が紐の任意の位置に容易に移動できることが好ましい。また、図５の状態における支持部１９とカメラとの距離は前述のズームレンズ鏡筒に表示された撮影距離のうち、短い側の撮影距離表示と５０ｍｍ以内の差であることが好ましい。【００２７】図６は本発明のカメラに取り付けられる撮影距離維持装置の一実施例であり、紐１８の始端側のスナップ金具１６ａと終端側のスナップ金具１６ｂのうち、終端のスナップ金具１６ｂのみが、撮影距離維持装置取付ベース１５に固定されており、支持部１９を掴んで撮影対象に向けて引っ張ることで、紐１８の始端側のスナップ金具１６ａの近傍に位置する支持部１９とカメラとの距離が、一定の距離に維持されている状態が示されている。図６において、紐１８の始端側のスナップ金具１６ａと終端側のスナップ金具１６ｂは撮影距離維持装置取付ベース１５に固定され、撮影距離維持装置取付ベース１５をカメラ本体底部の三脚取付用ねじ部１４へ止めネジ１７を使って固定される方法が示されているが、たとえば紐の始端および終端をカメラ本体へ直接固定するような方法でも構わない。また、始端側のスナップ金具１６ａおよび終端側のスナップ金具１６ｂは好ましくは甲丸スナップ金具のような、工具を使わずに脱着可能な金具が望ましいが、脱着可能な構造ならばどんな機構でもよく、たとえば磁石のように磁性を利用して吸着する方法を利用しても構わない。また、支持部１９は紐１８を通せるような穴が開けられており、支持部１９が紐の任意の位置に容易に移動できることが好ましい。また、図６の状態における支持部１９とカメラとの距離は前述のズームレンズ鏡筒に表示された撮影距離のうち、長い側の撮影距離表示と５０ｍｍ以内の差であることが好ましい。【００２８】図７は本発明のプログラムにおける画像再生画面のトリミング操作の一実施例を示し、画像表示用ウィンドウ２０に画像２１が表示され、実撮影倍率表示２２と規定倍率表示２３と規定倍率撮影範囲を示すフレーム２４が画面上に配置されている状態を示している。図７において、規定倍率撮影範囲を示すフレーム２４には水平的中心線２５と垂直的中心線２６が示されており、フレームと水平的中心線と垂直的中心線は点線で示されているが、別にどのような線種で示されていても構わないし、領域が判別できれば別のどのような手段を使っても構わない。また、水平的中心線と垂直的中心線が交差する位置には規定倍率撮影範囲を示すフレームの中心位置を移動させるためのハンドル２７が表示されており、マウスなどのポインティングデバイスを使ってハンドルを移動させることで、フレームの中心位置を移動させることが出来る。また、フレームの上方、左方、右方、下方の辺の中心部にはそれぞれ規定倍率撮影範囲を示すフレームを回転させるためのハンドル２８ａ〜ｄが表示されており、マウスなどのポインティングデバイスを使ってハンドルを移動させることで、フレームを回転させることができる。また、規定倍率表示２３は規定倍率を選択するためのハンドルを兼用しており、規定倍率表示２３をマウスでフレーム中心方向へ向かって移動させると、現在表示されている規定倍率よりも一段大きい規定倍率における撮影範囲へと変更することができ、逆にフレーム中心方向とは逆方向へ移動させると、現在表示されている規定倍率よりも一段小さい規定倍率における撮影範囲へと変更することが出来るようになっている。図７においては、規定倍率の変更はフレーム右上の隅に配置された規定倍率表示２３をマウスで移動させることによって行う例を示しているが、たとえばフレームの残り３箇所の隅に規定倍率変更用のハンドルを表示させても良いし、それ以外の別の方法で規定倍率を変更しても構わない。【００２９】図８は図７で述べた一実施例において、倍率がｘ０．９倍で撮影された画像が構図のズレと回転を生じていた場合のトリミング操作の説明図である。図８において、撮影された画像２１は右側が上方向にずれるような形で回転しており、また、歯列の垂直的中心である正中線は画面右側にずれている。このような画像に対して、図８のように実撮影倍率よりも一段大きい規定倍率、すなわちｘ１．０倍での撮影範囲を示すフレームを表示させ、フレームの中心にあるハンドル２７を画像の正中線と咬合平面が交差する位置に移動させ、かつ、フレームの水平的中心線が咬合平面と一致するような角度でフレームを回転させることで、構図のズレのないｘ１．０倍の画像をトリミングして得ることが可能になる。【００３０】図９は本発明のプログラムにおける画像再生画面の画像が反転されていることを知らせる表示の一実施例を示し、画像表示用ウィンドウ２０に画像２１が表示され、画面左上には実撮影倍率２２が表示され、画面左下には画像が反転されていることを知らせる表示２９が示されている。図９において、画像が反転されていることを知らせる表示２９は画像表示用ウィンドウ上の左下の隅に表示されているが、画像上に表示されているその他の表示を妨げなければ、別にどのような位置にあっても構わない。また、図９の実施例では単に“ＭＩＲＲＯＲ”とだけ表示されているので、上下反転なのか左右反転なのかが分からないが、たとえば上下反転を意味する“ＭＩＲＲＯＲ  Ｕ−Ｌ”と左右反転を意味する“ＭＩＲＲＯＲ  Ｌ−Ｒ”のように表示を使い分けても構わない。
【図面の簡単な説明】
【００３１】
【図１】  本発明のカメラ表示部の例の説明図である。
【図２】  本発明のカメラ表示部の例の説明図である。
【図３】  本発明のカメラ表示部の例の説明図である。
【図４】  本発明のカメラのズームレンズ鏡筒の規定倍率の目盛の表示の例の説明図である。
【図５】  本発明のカメラに用いられる撮影距離維持手段の短い側の撮影距離を維持する方法の例の説明図である。
【図６】  本発明のカメラに用いられる撮影距離維持手段の長い側の撮影距離を維持する方法の例の説明図である。
【図７】  本発明の画像管理プログラムに用いられる画像表示部の例の説明図である。
【図８】  本発明の画像管理プログラムに用いられる画像表示部の例の説明図である。
【図９】  本発明の画像管理プログラムに用いられる画像表示部の例の説明図である。
【符号の説明】
１  表示部
２  実撮影倍率表示
３  規定倍率撮影範囲表示
４  規定倍率表示
５  実撮影倍率が規定倍率と一致することを知らせる表示
６  ズームレンズ鏡筒可動部
７ａ  ズームレンズ鏡筒固定部
７ｂ  ズームレンズ鏡筒固定部端部
８  ズームリング
９  規定倍率目盛ラベル
１０  撮影距離表示（近い側）
１１  近い側の撮影距離における規定倍率目盛
１２  撮影距離表示（遠い側）
１３  遠い側の撮影距離における規定倍率目盛
１４  カメラ本体底部の三脚取付用ねじ部
１５  撮影距離維持装置取付ベース
１６ａ  始端側のスナップ金具
１６ｂ  終端側のスナップ金具
１７  止めねじ
１８  紐
１９  支持部
２０  画像表示用ウィンドウ
２１  画像
２２  実撮影倍率表示
２３  規定倍率表示
２４  規定倍率撮影範囲を示すフレーム
２５  規定倍率撮影範囲を示すフレームの水平的中心線
２６  規定倍率撮影範囲を示すフレームの垂直的中心線
２７  規定倍率撮影範囲を示すフレームの中心位置を移動させるためのハンドル
２８ａ  規定倍率撮影範囲を示すフレームを回転させるためのハンドル（上部）
２８ｂ  規定倍率撮影範囲を示すフレームを回転させるためのハンドル（左部）
２８ｃ  規定倍率撮影範囲を示すフレームを回転させるためのハンドル（右部）
２８ｄ  規定倍率撮影範囲を示すフレームを回転させるためのハンドル（下部）
２９  画像が反転されていることを知らせる表示
【図１】
2006081132.tif 000003
【図２】
2006081132.tif 000004
【図３】
2006081132.tif 000005
【図４】
2006081132.tif 000006
【図５】
2006081132.tif 000007
【図６】
2006081132.tif 000008
【図７】
2006081132.tif 000009
【図８】
2006081132.tif 000010
【図９】
2006081132.tif 000011